【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
上方に設けられた天板開口穴と前面に設けられた前面開口穴を有するシステムキッチンに組み込む加熱調理器であって、
前記天板開口穴から挿入される加熱調理器の本体と、
該本体の上面に配置されたプレートと、
前記本体内に配置される加熱部と、
前記本体の左側に配置され、前記本体の前記システムキッチンへの設置後に前記前面開口穴に臨むロースター部と、
前記本体の右側に配置され、前記本体の前記システムキッチンへの設置後に前記前面開口穴に臨む開閉式の操作部ケースと、
前記本体の前記システムキッチンへの設置後に前記操作部ケースの前面に取り付ける化粧カバーと、を具備しており、
該化粧カバーは、前記操作部ケースの前面を覆うカバー部と、加熱調理器の前方外部と加熱調理器本体とが連通する空間を覆い塞ぐ延長部と、で構成された横長形状であることを特徴とする加熱調理器。
【請求項２】
請求項１に記載の加熱調理器において、
前記延長部は、右側のサイドピースを隠すように前記システムキッチンの右側壁面まで伸ばして形成されることを特徴とする加熱調理器。
【請求項３】
上方に設けられた天板開口穴と前面に設けられた前面開口穴を有するシステムキッチンに組み込む加熱調理器であって、
前記天板開口穴から挿入される加熱調理器の本体と、
該本体の上面に配置されたプレートと、
前記本体内に配置される加熱部と、
前記本体の右側に配置され、前記本体の前記システムキッチンへの設置後に前記前面開口穴に臨むロースター部と、
前記本体の左側に配置され、前記本体の前記システムキッチンへの設置後に前記前面開口穴に臨む開閉式の操作部ケースと、
前記本体の前記システムキッチンへの設置後に前記操作部ケースの前面に取り付ける化粧カバーと、を具備しており、
該化粧カバーは、前記操作部ケースの前面を覆うカバー部と、加熱調理器の前方外部と加熱調理器本体とが連通する空間を覆い塞ぐ延長部と、で構成された横長形状であることを特徴とする加熱調理器。
【請求項４】
請求項１または３に記載の加熱調理器において、
前記操作部ケースの左右側面に縦長のフランジが設けられるとともに、前記化粧カバーの前記フランジと対応した位置に受け部が設けられ、前記化粧カバーの受け部を前記操作部ケースのフランジに沿ってスライドさせて前記化粧カバーを前記操作部ケースの前面に取り付けることを特徴とする加熱調理器。
【請求項５】
請求項４に記載の加熱調理器において、
前記操作部ケースの左右側面に凹状の嵌合部が設けられるとともに、前記化粧カバーの前記凹状の嵌合部と対応した位置に凸状の嵌合部が設けられ、前記凹状の嵌合部と前記凸状の嵌合部を嵌合して前記化粧カバーと前記操作部ケースを一体的に固定することを特徴とする加熱調理器。
【請求項６】
請求項４に記載の加熱調理器において、
前記操作部ケースの左右側面に凸状の嵌合部が設けられるとともに、前記化粧カバーの前記凸状の嵌合部と対応した位置に凹状の嵌合部が設けられ、前記凹状の嵌合部と前記凸状の嵌合部を嵌合して前記化粧カバーと前記操作部ケースを一体的に固定することを特徴とする加熱調理器。
【手続補正２】
【補正対象書類名】明細書
【補正対象項目名】０００４
【補正方法】変更
【補正の内容】
【０００４】
各図において、キッチンに設置された厨房家具であるシステムキッチン１は、上面に加熱調理器が組み込まれる四角形の天板開口穴１ａが設けられ、前面に長方形の前面開口穴１ｂが設けられている。この場合、システムキッチン１はシンク部分や収納部を除いて図示している。
【手続補正３】
【補正対象書類名】明細書
【補正対象項目名】０００８
【補正方法】変更
【補正の内容】
【０００８】
１０は、本体２の設置後に本体２の前面の左右とシステムキッチン１の前面開口穴の左右に形成される隙間を塞ぐサイドピースである。
【手続補正４】
【補正対象書類名】明細書
【補正対象項目名】０００９
【補正方法】変更
【補正の内容】
【０００９】
上記従来の構成よりなる加熱調理器は、以下のような手順でシステムキッチン１に組み込まれる。
（１）本体２をシステムキッチン１の天板開口穴１ａの中に挿入する。
【手続補正５】
【補正対象書類名】明細書
【補正対象項目名】００１０
【補正方法】変更
【補正の内容】
【００１０】
より具体的には、この天板開口穴１ａの中に本体２の前面部より挿入して、本体２の前面部がシステムキッチン１の前面開口穴１ｂを臨む位置に位置付けられる。そしてシステムキッチン１の天板部に、本体２の外周縁部２ａで吊り下がる様に設置される。
（２）本体２の前面の左右とシステムキッチン１の前面開口穴１ｂの左右に形成される隙間を、サイドピース１０を用いて塞ぎ、その隙間を埋める。
【手続補正６】
【補正対象書類名】明細書
【補正対象項目名】００１１
【補正方法】変更
【補正の内容】
【００１１】
システムキッチン１の天板開口穴１ａの幅Ｈ１は、ほとんどのシステムキッチンメーカーにおいて、約５６０ｍｍ、前面開口穴１ｂの幅Ｈ２は、約６００ｍｍに設定されており、天板開口穴１ａの幅Ｈ１より前面開口穴１ｂの幅Ｈ２の方が広くなっている。
【手続補正７】
【補正対象書類名】明細書
【補正対象項目名】００１２
【補正方法】変更
【補正の内容】
【００１２】
そのため、本体２はシステムキッチン１に組み込んだ後、本体２の前面の左右側面と、システムキッチン１の前面開口穴１ｂの左右側面との隙間を、サイドピース１０で埋める必要があった。
（３）ロースター部４の受皿４ａ、受皿４ａと一体のドア４ｂ、取手４ｃ、受皿４ａ内に載置される焼網（図示せず）を本体２内に挿入する。
【手続補正８】
【補正対象書類名】明細書
【補正対象項目名】００１６
【補正方法】変更
【補正の内容】
【００１６】
前述したように、従来の組込式加熱調理器は、本体２の前面の左右とシステムキッチン１の前面開口穴１ｂの左右に形成される隙間をサイドピース１０で埋める構成となっていたため、本体２内の加熱部６や、この加熱部６を冷却する送風機（図示せず）等から発生する騒音や送風音が、分割線１０ａの隙間から本体１の前面に漏れ出し、騒音の増大につながって使用者に不安感や不快感を感じさせる等の不具合があった。    
【手続補正９】
【補正対象書類名】明細書
【補正対象項目名】００２０
【補正方法】変更
【補正の内容】
【００２０】
上述の課題を解決するために、請求項１の加熱調理器は、上方に設けられた天板開口穴と前面に設けられた前面開口穴を有するシステムキッチンに組み込む加熱調理器であって、前記天板開口穴から挿入される加熱調理器の本体と、該本体の上面に配置されたプレートと、前記本体内に配置される加熱部と、前記本体の左側に配置され、前記本体の前記システムキッチンへの設置後に前記前面開口穴に臨むロースター部と、前記本体の右側に配置され、前記本体の前記システムキッチンへの設置後に前記前面開口穴に臨む開閉式の操作部ケースと、前記本体の前記システムキッチンへの設置後に前記操作部ケースの前面に取り付ける化粧カバーと、を具備しており、該化粧カバーは、前記操作部ケースの前面を覆うカバー部と、加熱調理器の前方外部と加熱調理器本体とが連通する空間を覆い塞ぐ延長部と、で構成された横長形状とする。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
また、請求項３の加熱調理器は、上方に設けられた天板開口穴と前面に設けられた前面開口穴を有するシステムキッチンに組み込む加熱調理器であって、前記天板開口穴から挿入される加熱調理器の本体と、該本体の上面に配置されたプレートと、前記本体内に配置される加熱部と、前記本体の右側に配置され、前記本体の前記システムキッチンへの設置後に前記前面開口穴に臨むロースター部と、前記本体の左側に配置され、前記本体の前記システムキッチンへの設置後に前記前面開口穴に臨む開閉式の操作部ケースと、前記本体の前記システムキッチンへの設置後に前記操作部ケースの前面に取り付ける化粧カバーと、を具備しており、該化粧カバーは、前記操作部ケースの前面を覆うカバー部と、加熱調理器の前方外部と加熱調理器本体とが連通する空間を覆い塞ぐ延長部と、で構成された横長形状とする。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００３２
【補正方法】変更
【補正の内容】
【００３２】
図１及び図２において、加熱調理器を組み込むためのシステムキッチン１は、加熱調理器を組み込む部分以外は図示しておらず、図示されたシステムキッチン１は、上面に四角形の天板開口穴１ａが設けられ、前面に長方形の前面開口穴１ｂが設けられている。
【手続補正１９】
【補正対象書類名】明細書
【補正対象項目名】００３３
【補正方法】変更
【補正の内容】
【００３３】
システムキッチン１に組み込まれる加熱調理器の本体２は、システムキッチン１の天板開口穴１ａの中に上面から挿入され、システムキッチン１の天面部にその外周縁部２ａが吊り下がる様に設置される。また、この設置によって前面の左右に配置した後記するロースター部４及び操作部ケース５がシステムキッチン１の前面開口穴１ｂに臨み、本体１の前面から操作できるようになっている。
【手続補正２０】
【補正対象書類名】明細書
【補正対象項目名】００３９
【補正方法】変更
【補正の内容】
【００３９】
サイドピース７は、本体２の設置後に本体２の前面の左右とシステムキッチン１の前面開口穴１ｂの左右に形成される隙間を塞ぐものであり、図６及び図７に示す従来例のサイドピース１０よりも板厚が薄く形成されている。
【手続補正２１】
【補正対象書類名】明細書
【補正対象項目名】００４９
【補正方法】変更
【補正の内容】
【００４９】
以上の構成において、加熱調理器は、以下のような手順でシステムキッチン１に組み込まれる。
（１）本体２をシステムキッチン１の天板開口穴１ａの中に挿入する。
（２）システムキッチン１の天板開口穴１ａの開口幅Ｈ１に対して正面開口穴１ｂの開口幅Ｈ２が広いため、本体２の前面の左右と正面開口穴１ｂとの隙間を板厚の薄いサイドピース７を用いて塞ぎ、その隙間を埋める。このとき、サイドピース７は板厚の薄い分だけ本体２の前面より内側に入る。
（３）ロースター部４側は、図５及び図６に示した従来例の加熱調理器と同様にロースター部４のドア４ｂの左側を正面開口穴１ｂ左側の側面まで伸ばし、その延びた面で左側のサイドピース７を隠すようにする。
（４）化粧カバー８の受け部８ｃを操作部ケース５の上部から左右のフランジ５ａに沿ってスライドさせ、両者の嵌合部８ｄ、５ｂを嵌合して操作部ケース５と化粧カバー８とを一体的に固定するものである。
【手続補正２２】
【補正対象書類名】明細書
【補正対象項目名】００５２
【補正方法】変更
【補正の内容】
【００５２】
これによって、サイドピース７が化粧カバー８の延長部８ｂによって隠れて本体２の前面に見えてこないため、ロースター部４のドア４と化粧カバー８が面一となり、前面から見た場合、スッキリとした外観に仕上げることが可能となる。また、化粧カバーと操作部ケースとの一体性が高まり、本体側方に生じる隙間による影響を低減することができる。
【手続補正２３】
【補正対象書類名】明細書
【補正対象項目名】００５３
【補正方法】変更
【補正の内容】
【００５３】
また、本体２の加熱部６やロースター部４を使用して調理する際に、加熱部６から発生する騒音や加熱部６及びロースター部４の制御部を冷却する送風機（図示せず）等から発生する送風音が分割線の隙間を通して本体２の前面に漏れ出すことがなくなり、騒音の増大を抑えることができる。
【手続補正２４】
【補正対象書類名】明細書
【補正対象項目名】００５６
【補正方法】変更
【補正の内容】
【００５６】
１  システムキッチン
１ａ  天板開口穴
１ｂ  前面開口穴
２  本体
３  プレート
４  ロースター部
５  操作部ケース
５ａ  フランジ
５ｂ  嵌合部
６  加熱部    
７  サイドピース
８  化粧カバー
８ａ  カバー部
８ｂ  延長部
８ｃ  受け部
８ｄ  嵌合部